(57)【要約】【課題】回転可能に設けられた回転部材に形成されたホルダ部からメダルの落下が防止されるようになる遊技機の提供。【解決手段】上向きの開口21A が形成された枠部22を有する箱状のカバー部21を設け、このカバー部21の内部に回転部材５を収納するとともに、回転部材５の周回面5Aの少なくとも一部が開口21A から露出した状態の回転部材５をカバー部21に回転可能に支持させる。そして、回転部材５の周回面5AにメダルＭを立てた状態で保持するホルダ部６を設ける。これにより、回転部材５を回転させると、ホルダ部６からメダルＭが逸脱する前に、メダルＭが枠部22に当たって、回転部材５がそれ以上回転せず、このため、ホルダ部６に保持されていたメダルＭが下方に落下することが未然に防止される。【選択図】    図７
2010104657.tif 000002
【特許請求の範囲】
【請求項１】
遊技媒体の投入により遊技が開始可能となるように形成されているとともに、円盤状に形成されたメダル体を保持するホルダ部が設けられている遊技機であって、
回転可能に設けられて、回転時に周方向へ周回する周回面を有する回転部材と、
前記ホルダ部は、前記回転部材の前記周回面に設けられているとともに、円盤状のメダル体を立てた状態で保持するように形成されたものであり、
前記回転部材の前記周回面の少なくとも一部を露出させながら当該回転部材を回転可能に支持する支持部と、
前記周回面から離れた位置に配置され、前記ホルダ部に保持されたメダル体に当接可能に形成された係止部とが設けられ、
前記回転部材は、前記ホルダ部にメダル体を保持させた状態で回転されて、当該メダル体が前記係止部に当たる位置まで移動すると、前記係止部に当該メダル体が係止され、それ以上の回転が不可能となるように形成されていることを特徴とする遊技機。
【請求項２】
前記回転部材の周回面には、当該回転部材に設けられている前記ホルダ部とは回転角度位置が異なる部位が凹まされることによって、塵芥を収納するための塵芥収納部が形成され、
前記ホルダ部及び前記塵芥収納部は、前記回転部材の回転より、いずれか一方が回転角度位置における頂上位置まで移動され、当該頂上位置で使用されるように形成されていることを特徴とする請求項１記載の遊技機。
【請求項３】
前記回転部材を内部に収納するとともに、前記回転部材の前記周回面の一部を露出させる上向きの開口を有する箱体が前記支持部として設けられ、且つ、この箱体が前記ホルダ部に保持されたメダル体を係止可能に形成された係止部とされ、
前記回転部材の前記周回面における前記ホルダ部及び前記塵芥収納部のいずれとも回転角度位置が異なる部位には、前記箱体の前記開口を塞ぐための蓋部が設けられ、
前記回転部材は、回転により、前記蓋部が前記箱体の前記開口まで移動されると、前記蓋部が前記開口を下方から覆って、前記ホルダ部及び前記塵芥収納部の両方の使用が不可能となるように形成されていることを特徴とする請求項２記載の遊技機。
【請求項４】
前記ホルダ部は、保持しているメダル体が前記係止部に当たる位置まで前記回転部材が回転すると、メダル体の表面及び裏面のうち、その一方の面が前記係止部に当接するように、前記周回面が周回する周回方向と交差する方向に表面及び裏面を沿わせた状態のメダル体を保持するものとなっていることを特徴とする請求項１から請求項３までのいずれかに記載の遊技機。
【発明の詳細な説明】
【技術分野】
【０００１】
本発明は、遊技媒体の投入により遊技が開始可能となるように形成されているとともに、円盤状に形成されたメダル体を保持するホルダ部が設けられている遊技機に関する。
【背景技術】
【０００２】
従来から、人々に娯楽を提供する遊技機として、スロットマシンやパチンコ機等の遊技機が利用されている。このような遊技機としては、喫煙する遊技者のために煙草の吸い殻や灰を受ける灰皿が設けられたもの、あるいは、遊技者が遊技に使用するメダルや硬貨を一時的に保持しておくためのホルダ部が設けられたものがある。
ここで、遊技機に設けられる一般的な灰皿は、煙草の吸い殻や灰を受ける凹部を有する灰皿本体を備え、その内部に溜まった吸い殻や灰を容易に回収できるように、灰皿本体が逆さとなるように回転可能に設けられている。
更に詳しく説明すれば、遊技機に設けられる一般的な灰皿は、灰皿本体が遊技機に向かって左右方向に延びた回転軸を中心に回転可能とされている。そして、灰皿本体は、その凹部の開口が上向きとなった状態で使用され、灰皿本体の内部に溜まった吸い殻や灰を回収する際に、凹部開口が上向きの状態から、凹部開口が遊技者側に向いた状態を経由して下向きにされる。凹部の開口が下向きとなれば、その内部に溜まった吸い殻や灰が自重で下方に落下するので、吸い殻や灰の回収を容易且つ迅速に行うことができる。
【０００３】
しかしながら、前述のような灰皿では、灰皿本体の内部に溜まった吸い殻や灰を回収するために、灰皿本体を逆さにする際に、途中で凹部開口が遊技者側に向いた状態となるので、吸い殻や灰が遊技者に向かって飛び出すことがあり、これにより、遊技者の衣服を汚すおそれがある、という問題がある。
このような問題を解決するために、遊技機に向かって前後方向に延びた回転軸を中心に回転する回転部材を設けるとともに、この回転部材の回転により周回する周回面に灰皿本体を設け、且つ、当該回転部材の回転方向を所定の一方向のみに規制する回転方向規制手段を設けて、当該回転部材が一方向にのみ回転するようにした遊技機が知られている。
【０００４】
このような遊技機では、例えば、その左下方の角隅部分に回転部材が設けられている場合、回転方向規制手段によって、回転部材が反時計方向のみに回転するように規制すれば、灰皿本体を逆さにする際に、灰皿本体の凹部開口が遊技者側に向かなくなり、これにより、遊技者の衣服を汚すおそれを解消することができる（例えば、特許文献１参照）。
また、前述の遊技機では、回転部材の灰皿本体とは反対側の裏面に、メダルや硬貨の周縁部分が差し込まれる保持溝を形成することができる。このような保持溝を形成しておけば、回転部材を回転させて、灰皿本体を下向きにすることで、保持溝が上向きとなり、上向きとなった保持溝にメダルや硬貨の周縁部分を差し込むことができ、これにより、メダルや硬貨を一時的に保持するホルダ部を形成することができる。
【特許文献１】特開２００５−４０４３３号
【発明の開示】
【発明が解決しようとする課題】
【０００５】
前述のような遊技機では、前述のように、回転部材に灰皿本体及び保持溝を設けた場合、回転部材に手で触れると、灰皿の灰等で手が汚れるので、回転部材が自動的に回転するように、回転部材を駆動するモータを設け、且つ、モータをスイッチ操作で起動・停止させることが考えられる。
しかしながら、回転部材をモータで駆動するようにした場合、回転部材の保持溝にメダルを保持させた状態でスイッチが誤操作されると、保持溝の開口が下方を向き、保持溝に保持されていたメダルが下方に落下する、という問題がある。
そして、回転部材を回転させた際に、回転部材の保持溝からメダルが落下し、メダルが床に散乱してしまうと、メダルを紛失してしまう、という問題も生じる。
【０００６】
そこで、各請求項にそれぞれ記載された各発明は、上記した従来の技術の有する問題点に鑑みてなされたものであり、その目的とするところは、回転可能に設けられた回転部材に形成されたホルダ部からメダルの落下が防止されるようになる遊技機を提供することである。
【課題を解決するための手段】
【０００７】
各請求項にそれぞれ記載された各発明は、前述の目的を達成するためになされたものである。以下に、各発明の特徴点を、図面に示した発明の実施の形態を用いて説明する。
なお、符号は、発明の実施の形態において用いた符号を示し、本発明の技術的範囲を限定するものではない。
（請求項１）
（特徴点）
請求項１記載の発明は、次の点を特徴とする。
すなわち、請求項１に記載の発明は、遊技媒体の投入により遊技が開始可能となるように形成されているとともに、円盤状に形成されたメダル体(Ｍ)を保持するホルダ部(６)が設けられている遊技機(１)であって、回転可能に設けられて、回転時に周方向へ周回する周回面(5A)を有する回転部材(５)と、前記ホルダ部(６)は、前記回転部材(５)の前記周回面(5A)に設けられているとともに、円盤状のメダル体(Ｍ)を立てた状態で保持するように形成されたものであり、前記回転部材(５)の前記周回面(5A)の少なくとも一部を露出させながら当該回転部材(５)を回転可能に支持する支持部(21,27,29)と、前記周回面(5A)から離れた位置に配置され、前記ホルダ部(６)に保持されたメダル体(Ｍ)に当接可能に形成された係止部(22,22A〜22D,３)とが設けられ、前記回転部材(５)は、前記ホルダ部(６)にメダル体(Ｍ)を保持させた状態で回転されて、当該メダル体(Ｍ)が前記係止部(22,22A〜22D,３)に当たる位置まで移動すると、前記係止部(22,22A〜22D,３)に当該メダル体(Ｍ)が係止され、それ以上の回転が不可能となるように形成されていることを特徴とする。
【０００８】
ここで、メダル体とは、遊技媒体としてのメダルや硬貨等の手で把持か可能な大きさの円盤体をいう。
（請求項２）
（特徴点）
請求項２記載の発明は、前述した請求項１に記載の発明において、次の特徴点を備えているものである。
すなわち、請求項２記載の発明は、前記回転部材(５)の周回面(5A)に、当該回転部材(５)に設けられている前記ホルダ部(６)とは回転角度位置が異なる部位が凹まされることによって、塵芥を収納するための塵芥収納部(７)が形成され、前記ホルダ部(６)及び前記塵芥収納部(７)は、前記回転部材(５)の回転より、いずれか一方が回転角度位置における頂上位置まで移動され、当該頂上位置で使用されるように形成されていることを特徴とする。
【０００９】
（請求項３）
（特徴点）
請求項３記載の発明は、前述した請求項２記載の発明において、次の特徴点を備えているものである。
すなわち、請求項３記載の発明は、前記回転部材(５)を内部に収納するとともに、前記回転部材(５)の前記周回面(5A)の一部を露出させる上向きの開口(21A) を有する箱体(21)が前記支持部として設けられ、且つ、この箱体(21)が前記ホルダ部(６)に保持されたメダル体(Ｍ)を係止可能に形成された係止部(22)とされ、前記回転部材(５)の前記周回面(5A)における前記ホルダ部(６)及び前記塵芥収納部(７)のいずれとも回転角度位置が異なる部位には、前記箱体(21)の前記開口(21A) を塞ぐための蓋部(5C, 5D)が設けられ、前記回転部材(５)は、回転により、前記蓋部(5C, 5D)が前記箱体(21)の前記開口(21A) まで移動されると、前記蓋部(5C, 5D)が前記開口(21A) を下方から覆って、前記ホルダ部(６)及び前記塵芥収納部(７)の両方の使用が不可能となるように形成されていることを特徴とするものである。
【００１０】
（請求項４）
（特徴点）
請求項４記載の発明は、前述した請求項１から請求項３までのいずれかに記載の発明において、次の特徴点を備えているものである。
すなわち、請求項４記載の発明は、前記ホルダ部(６)として、保持しているメダル体(Ｍ)が前記係止部(22,22A〜22D,３)に当たる位置まで前記回転部材(５)が回転すると、メダル体(Ｍ)の表面及び裏面のうち、その一方の面が前記係止部(22,22A〜22D,３)に当接するように、前記周回面(5A)が周回する周回方向と交差する方向に表面及び裏面を沿わせた状態のメダル体(Ｍ)を保持するものが採用されていることを特徴とする。
【発明の効果】
【００１１】
（請求項１の効果）
以上のように構成されている本発明は、以下に記載されるような効果を奏する。
すなわち、請求項１記載の発明によれば、回転時に周方向へ周回する周回面を有する回転部材を回転可能に支持するために、回転部材の周回面の少なくとも一部を露出させながら当該回転部材を回転可能に支持する支持部を設け、さらに、回転部材の前記周回面に、円盤状のメダル体を立てた状態で保持するホルダ部を設けるとともに、周回面から離れた位置に配置されて、ホルダ部に保持されたメダル体に当接可能に形成された係止部を設け、ホルダ部がメダル体を保持している状態で、回転部材を回転させると、ホルダ部からメダル体が逸脱する前に、メダル体が係止部に当たって、それ以上回転させないように、回転部材を係止させるようになる。
【００１２】
このため、ホルダ部にメダル体を保持させると、ホルダ部が下方を向く角度位置まで回転部材が回転することがなく、従って、回転可能に設けられた回転部材にホルダ部を形成しても、ホルダ部に保持されていたメダル体が下方に落下することを未然に防止することができる。
そして、回転部材のホルダ部からメダル体が落下することがなくなるので、メダル体が床に散乱することもなく、ホルダ部からメダル体が落下することに起因するメダル体の紛失も未然に防止することができる。
（請求項２の効果）
請求項２記載の発明によれば、上記した請求項１記載の発明の効果に加え、次のような効果を奏する。
【００１３】
すなわち、請求項２記載の発明によれば、回転部材の周回面におけるホルダ部とは回転角度位置が異なる位置に、塵芥を収納するための塵芥収納部を形成し、回転部材を回転させ、ホルダ部及び塵芥収納部のうち、回転角度位置における頂上位置に配置されたものが使用されるようにしたので、遊技者は、必要に応じて回転部材を回転させ、ホルダ部及び塵芥収納部のうち所望のものを頂上位置に配置すれば、ホルダ部及び塵芥収納部のうち、頂上位置に配置したものを利用することが可能となる。
例えば、手で把持しているメダル体を何かに保持させたい場合、遊技者は、ホルダ部を頂上位置に配置させれば、メダル体をホルダ部に保持させておくことができる。
【００１４】
一方、煙草の吸い殻や菓子の包装を捨てたい場合、遊技者は、塵芥収納部を頂上位置に配置させれば、煙草の吸い殻や菓子の包装を塵芥収納部の中に捨てることができる。
また、一部分に禁煙フロアが設定された遊技場で禁煙フロアの設定階を変更する場合、塵芥収納部を灰皿として遊技機に設けておけば、変更対象のフロアに設置されている遊技機について、灰皿付のものと灰皿無しのものとを入れ替える必要がなく、回転部材を回転させて、ホルダ部及び塵芥収納部の一方から他方へ切り換えるだけですみ、禁煙フロアの設定階を変更する作業が極めて容易に行えるようになる。
（請求項３の効果）
請求項３記載の発明によれば、上記した請求項２記載の発明の効果に加え、次のような効果を奏する。
【００１５】
すなわち、請求項３記載の発明によれば、回転部材を内部に収納するとともに、回転部材の周回面の一部を露出させる上向きの開口を有する箱体を設け、且つ、この箱体を、ホルダ部に保持されたメダル体の係止を行う係止部とし、さらに、回転部材の周回面におけるホルダ部及び塵芥収納部のいずれとも回転角度位置が異なる部位に、箱体の開口を塞ぐための蓋部を設けたので、ホルダ部及び塵芥収納部の両方を遊技者に使用させたくない場合、例えば、ホルダ部及び塵芥収納部が悪戯によって破損している場合には、回転部材を回転操作して、蓋部で箱体の開口を塞ぎ、ホルダ部及び塵芥収納部を使用させないようにすることができる。
【００１６】
この際、遊技機の内側から蓋部を固定できるようにしておけば、箱体の開口を塞ぐ位置に蓋部が固定され、遊技者がホルダ部及び塵芥収納部を使用することを確実に防止することができる。
（請求項４の効果）
請求項４記載の発明によれば、上記した請求項１から請求項３のいずれかに記載の発明の効果に加え、次のような効果を奏する。
すなわち、請求項４記載の発明によれば、ホルダ部として、保持しているメダル体が前記係止部に当たる位置まで前記回転部材が回転すると、メダル体の表面及び裏面のうち、その一方の面が係止部に当接するように、周回面が周回する周回方向と交差する方向に表面及び裏面を沿わせた状態のメダル体を保持するものを採用したので、メダル体の周縁が係止部に当接するようにした場合よりも、係止部と当接した際にメダル体がホルダ部から抜け落ちる可能性が小さくなる。
【００１７】
このため、ホルダ部の深さ方向の寸法をより小さくできるので、ホルダ部の機能が損なわれない程度に深さ方向の寸法を小さくすることで、塵芥収納部を深くして、その容積を充分確保することができ、一つの回転部材にホルダ部及び塵芥収納部の両方を設けても、ホルダ部及び塵芥収納部の両方について機能を充分確保することができる。
【発明を実施するための最良の形態】
【００１８】
以下に、本発明を実施するための最良の形態である一の実施形態について、図面を参照しながら説明する。
（図面の説明）
図１〜図８は、本実施形態を示すものであり、図１は、本実施形態に係るスロットマシンの全体を示す正面図、図２は、本実施形態に係る回転部材とその周辺を示す断面図、図３は、本実施形態に係る回転部材とその周辺を示す斜視図、図４は、本実施形態に係る回転部材を示す斜視図、図５は、本実施形態に係る回転角度位置検出機構を示す断面図、図６は、本実施形態に係る回転部材とその周辺を示す図２と異なる状態の断面図、図７は、本実施形態に係る回転部材とその周辺を示すさらに異なる状態の断面図、図８は、本実施形態に係る回転部材制御装置を示すブロック図である。
【００１９】
（スロットマシン１の概要）
図１において、本実施形態に係るスロットマシン１は、複数の回転リール40の各々に記された複数種類の図柄が所定の組合せとなるように、回転している回転リール40を停止させる遊技を行うものである。
このスロットマシン１には、図１に示すように、当該スロットマシン１の各種装置を収納するとともに、正面形状が長方形となった筐体２が備えられている。
筐体２は、前面全体が開口された箱状の部材である。そして、筐体２には、その開口を塞ぐための前扉３が回動可能に設けられている。
【００２０】
前扉３の上下方向における中央部分は、スロットマシン１の遊技操作を行うための操作部４となっている。
操作部４には、図１中右側から、前扉３の施錠を行う鍵が差し込まれる鍵穴3Aと、遊技用メダルが投入されるメダル投入口18と、回転リール40の回転を停止させるストップスイッチ50と、貯留されているメダルを賭けするためのベットスイッチ16と、回転リール40の回転を開始させるスタートスイッチ30と、貯留されているメダルを払い戻させるための精算スイッチ17とが設けられている。
ここで、スロットマシン１は、円盤状に形成されたメダル体であるメダルを投入することによって、遊技が開始可能となるように形成されている。
【００２１】
すなわち、スロットマシン１は、メダルをメダル投入口18に投入するメダル投入操作、又は、ベットスイッチ16を押圧することで、予め投入しておいたメダルの枚数であるクレジットを減算するスイッチ押圧操作が設定されたものである。そして、スロットマシン１は、メダル投入操作及びスイッチ押圧操作のいずれかの操作を行うことで遊技が開始可能となっている。
操作部４の下方には、文字及び図の少なくとも一方からなる標章、例えば、スロットマシン１の機種名を鮮明に表示するための下パネル3Bが設けられている。この下パネル3Bの裏側には、下パネル3Bを後方から照らす図示しないバックライト装置が設けられている。さらに、下パネル3Bの下方には、払い出されたメダルを溜めておくためのメダル受け3Cが設けられている。
【００２２】
また、操作部４の上方には、横方向に細長い長方形状に形成された図柄表示窓13が設けられている。図柄表示窓13は、筐体２の内部に回転可能に設けられた回転リール40の図柄61を遊技者に見せるための窓である。
図柄表示窓13の上方には、動画の表示までもが可能となった液晶パネル表示装置66A が設けられている。これらの液晶パネル表示装置66A 及び図柄表示窓13の周囲には、液晶パネル表示装置66A 及び図柄表示窓13の図１中左方、上方、右方を囲むように、逆Ｕ字形に配列された装飾ランプ部66B が設けられている。
また、前扉３の上方左右の角隅近傍には、種々の音声を出力するためのスピーカ66C が設けられている。
【００２３】
これらの液晶パネル表示装置66A 、装飾ランプ部66B 及びスピーカ66C は、各遊技毎にスロットマシン１の内部で行われる当否抽選で、所定の当選役に対応した当選フラグが成立した際に行われる報知演出を行うための演出手段66となっている。
この演出手段66は、遊技者に当選フラグが成立すると、例えば、ボーナスフラグが成立すると、液晶パネル表示装置66A でその旨を文字で表示する、装飾ランプ部66B を点灯又は点滅させる、スピーカ66C から当選音を発生させる等、演出手段66のうちのいずれか一つを単独で作動させる、若しくは、これら二つ以上、又は、全部を同時に作動させることにより、遊技者に当選フラグの成立を報知することが可能となっている。これにより、スロットマシン１は、スタートスイッチ30の操作後、ストップスイッチ50の操作前に報知演出を実行することが可能に形成されている。
【００２４】
筐体２の内部には、図１に示すように、前述の三個の回転リール40を回転可能に支持するとともに、各回転リール40を回転駆動する図示しないモータを備えたリールユニット60と、メダル投入口18に投入されたメダルを検知するメダルセレクタ15と、このメダルセレクタ15を通過してきたメダルを貯留する容器であるとともに、入賞時には遊技者にメダルを払い出すホッパーユニット65とが設けられている。
このうち、ホッパーユニット65は、内部に貯留しているメダルを入賞時に遊技者に払い出すために、メダル受け3Cに臨むように開口された払い出し口65A を通じてメダルをメダル受け3Cへ排出するものである。
【００２５】
以上のようなスロットマシン１の前扉３には、後述するメダルホルダ６及び灰皿７を有する回転部材５が回転可能に設けられている。この回転部材５は、後述するモータ20で駆動されて自動的に回転するようになっている。
そして、前扉３の前面における回転部材５の図１中右方には、モータ20を起動させる操作を行うための押しボタンスイッチ８が設けられている。
また、前扉３の内面における回転部材５の図１中上方には、回転部材５の動作を制御するための回転部材制御装置10、及び、回転部材５が回転しないように、モータ20のロック操作を行うためのトグルスイッチ９が設けられている。
【００２６】
（回転部材５）
以下に、回転部材５について詳細に説明する。
回転部材５は、図２〜図７に示すように、回転時に周方向へ周回する周回面5Aを有する円柱状の部材である。
すなわち、前扉３の前面には、図２の如く、回転部材５を内部に収納するとともに、回転部材５を回転可能に支持する箱状のカバー部21が設けられている。
ここで、カバー部21に支持されている回転部材５は、その中心線を回転軸として回転可能にされ、その円柱の側面が周回面5Aとなっている。
【００２７】
そして、カバー部21の図２中上方及び下方のそれぞれの面は、回転部材５の周回面5Aの一部分を露出させる開口21A, 21Bが形成された四角形状の枠部22, 23となっている。
ここにおいて、カバー部21は、回転部材５の周回面5Aの少なくとも一部を露出させながら当該回転部材５を回転可能に支持する支持部となっている。
また、カバー部21は、回転部材５を内部に収納するとともに、回転部材５の周回面5Aの一部を露出させる上向きの開口21A を有する箱体となっている。
カバー部21の内部には、回転部材５に加えて、回転部材５を駆動する前述したモータ20と、モータ20のトルクを回転部材５に伝達するための中間歯車24とが設けられている。
【００２８】
モータ20の出力軸の先端には、図２及び図３の如く、中間歯車24と噛み合っているとともに、当該中間歯車24よりも小径のピニオン歯車25が取り付けられている。
回転部材５における図３中左側の端面には、中間歯車24と噛み合っているとともに、当該中間歯車24よりも大径の最終歯車5Bが形成されている。
これらの歯車25,24,5Aよって、モータ20のトルクが回転部材５に伝達され、モータ20のトルクで回転部材５が自動的に回転するようになっている。
なお、回転部材５は、モータ20を正回転方向へ運転させた場合、図２において、反時計回り（図２の矢印Ａ方向）へ回転するように形成されている。逆に、モータ20を逆回転方向へ運転させた場合、回転部材５は、図２中、時計回りに回転するようになっている。
【００２９】
回転部材５の周回面5Aにおける図２中最下位置には、当該回転部材５の回転軸と平行に延びる複数の溝6Aが設けられている。溝6Aの各々は、図４に示すように、１枚のメダルＭを立てた状態で保持することが可能なものとなっている。これらの溝6Aによって、円盤状のメダルを立てた状態で保持するホルダ部６が形成されている。
図２及び図３に戻って、回転部材５の周回面5Aには、当該回転部材５に設けられている前記ホルダ部６とは回転角度位置が異なる部位が凹まされることによって、塵芥である煙草の吸い殻を収納するための塵芥収納部として灰皿７が設けられている。
換言すると、回転部材５の周回面5Aにおける図２中頂上位置には、周回面5Aを凹まされることによって形成された灰皿７が設けられている。
【００３０】
ここにおいて、ホルダ部６及び灰皿７は、回転部材５の回転より、いずれか一方が回転角度位置における頂上位置まで移動され、当該頂上位置で使用されるように形成されている。換言すると、ホルダ部６及び灰皿７は、回転部材５の回転により頂上位置まで移動されたものが、当該頂上位置で使用可能となるように形成されている。
また、回転部材５の周回面5Aにおけるホルダ部６及び灰皿７のいずれとも回転角度位置が異なる部位には、図５に示すように、カバー部21の開口21A を下方から塞ぐための蓋部5C, 5Dが設けられている。
ここにおいて、回転部材５は、回転により、蓋部5C, 5Dの一方がカバー部21の開口21A まで移動されると、蓋部5C, 5Dの一方が開口21A を下方から覆って、ホルダ部６及び灰皿７の両方の使用が不可能となるように形成されている。
【００３１】
回転部材５における図３中右側の端面、換言すると、中間歯車24が形成されている端面の反対側になる端面には、図６に示すように、回転部材５の回転角度位置を検出するためのインデックスとして、遮光片26が突設されている。この遮光片26は、回転部材５の周回面5Aの近傍に配置され、回転部材５の回転によって、回転部材５の回転軸と同軸となる所定の円周上を周回軌道として周回するようになっている。
一方、カバー部21の内部には、図６の如く、回転部材５のそれぞれ異なる回転角度位置において、遮光片26の周回軌道を横切るようにフォトインターラプタ31〜34が設けられている。
【００３２】
フォトインターラプタ31〜34の各々は、回転部材５に設けられた遮光片26を検出することで、回転部材５の回転角度位置を検出するものであり、光を所定の方向へ投光する投光素子31A 〜34A と、投光素子31A 〜34A の各々が投光した光を受光する受光素子31B 〜34Bとをそれぞれ備えている。
フォトインターラプタ31は、カバー部21の開口21A を通してホルダ部６が外部に露出する回転角度位置（以下、「ホルダ使用位置」という。）まで回転部材５を回転させた際に、遮光片26が到達する位置に配置されている。
換言すると、フォトインターラプタ31は、回転部材５が回転してホルダ使用位置に達して、遮光片26が投光素子31A と受光素子31B との間に入り込むと、遮光片26によって投光素子31A の光が遮断され、受光素子31B の状態が投光素子31A からの光を受光している受光状態から、光を受していない非受光状態へ移行し、これにより、回転部材５がホルダ使用位置に到達したことを検出するようになっている。
【００３３】
フォトインターラプタ32は、カバー部21の開口21A を蓋部5Cが塞ぐ回転角度位置（以下、「第１閉鎖位置」という。）まで回転部材５を回転させた際に、遮光片26が到達する位置に配置されている。
換言すると、フォトインターラプタ32は、回転部材５が回転して第１閉鎖位置に達して、遮光片26が投光素子32A と受光素子32B との間に入り込むと、遮光片26によって投光素子32A の光が遮断され、受光素子32B の状態が投光素子32A からの光を受光している受光状態から、光を受していない非受光状態へ移行し、これにより、回転部材５が第１閉鎖位置に到達したことを検出するようになっている。
【００３４】
フォトインターラプタ33は、カバー部21の開口21A を通して灰皿７が外部に露出する回転角度位置（以下、「灰皿使用位置」という。）まで回転部材５を回転させた際に、遮光片26が到達する位置に配置されている。
換言すると、フォトインターラプタ33は、回転部材５が回転して灰皿使用位置に達して、遮光片26が投光素子33A と受光素子33B との間に入り込むと、遮光片26によって投光素子33A の光が遮断され、受光素子33B の状態が投光素子33A からの光を受光している受光状態から、光を受していない非受光状態へ移行し、これにより、回転部材５が灰皿使用位置に到達したことを検出するようになっている。
【００３５】
フォトインターラプタ34は、カバー部21の開口21A を蓋部5Dが塞ぐ回転角度位置（以下、「第２閉鎖位置」という。）まで回転部材５を回転させた際に、遮光片26が到達する位置に配置されている。
換言すると、フォトインターラプタ34は、回転部材５が回転して第２閉鎖位置に達して、遮光片26が投光素子34A と受光素子34B との間に入り込むと、遮光片26によって投光素子34A の光が遮断され、受光素子34B の状態が投光素子34A からの光を受光している受光状態から光を受していない非受光状態へ移行し、これにより、回転部材５が第２閉鎖位置にあることを検出するようになっている。
【００３６】
カバー部21は、図７に示すように、当該カバー部21の一部分である図２中上方の枠部22が、周回面5Aから離れた位置に配置され、ホルダ部６に保持されたメダルＭを係止可能に形成された係止部となっている。
ここにおいて、回転部材５は、ホルダ部６にメダルＭを保持させた状態で回転されて、当該メダルＭが枠部22に当たる位置まで移動すると、枠部22にメダルＭが係止され、それ以上の回転が不可能となるように形成されている。
この際、ホルダ部６の溝6Aは、前述したように回転部材５の回転軸と平行に延びたものとなっている。
【００３７】
これにより、ホルダ部６は、保持しているメダルＭがカバー部21の枠部22に当たる位置まで回転部材５が回転すると、メダルＭの表面及び裏面のうち、その一方の面が枠部22に当接するように、周回面5Aが周回する周回方向と交差する方向に表面及び裏面を沿わせた状態のメダルＭを保持するものとなっている。
（回転部材制御装置10）
次に、回転部材５の動作を制御する回転部材制御装置10について説明する。
回転部材制御装置10は、スロットマシン１の遊技動作を制御する図示しない遊技制御装置と共通の電源から電力の供給を受けるが、電気回路としては、遊技制御装置から独立したリレーシーケンス回路又はデジタルシーケンサを含んで構成されている。
【００３８】
回転部材制御装置10には、センサやスイッチ等から送られてくる信号を受信する入力部と、モータ等の操作機へ制御信号を送出する出力部が設けられている。
そして、回転部材制御装置10の入力部には、図８に示すように、トグルスイッチ９、押しボタンスイッチ８、及び、フォトインターラプタ31〜34が接続されている。
一方、回転部材制御装置10の出力部には、回転部材５を回転させるモータ20が接続されている。
このような回転部材制御装置10は、押圧操作された押しボタンスイッチ８が出力する信号を受信すると、モータ20を起動して回転部材５を回転させるようになっている。
【００３９】
また、回転部材制御装置10は、回転部材５が回転を開始した後、所定の回転角度位置まで到達したことによって、フォトインターラプタ31〜34のいずれかが発信した信号を受けると、モータ20を停止させるようになっている。
また、回転部材制御装置10は、トグルスイッチ９のレバーがロック解除位置からロック位置へ切り換えられると、押しボタンスイッチ８の操作を有効にするロック解除状態から、押しボタンスイッチ８の操作を無効にする、換言すると、押しボタンスイッチ８が操作されてもモータ20を停止状態にロックするロック状態へ移行するようになっている。
次に、本実施形態に係る回転部材制御装置10による回転部材駆動処理について図９を参照しながら説明する。
【００４０】
スロットマシン１の電源が投入されると、回転部材制御装置10による回転部材駆動処理が開始される。この際、回転部材駆動処理は、図９の如く、ステップＳ1000から処理が開始される。
すなわち、図９に示すように、ステップＳ1000において、トグルスイッチ９がロック解除位置にある、換言すると、押しボタンスイッチ８の操作を有効にするロック解除状態であるか否かが判定される。
そして、ステップＳ1000で、ロック解除状態であると判定された場合、次のステップＳ1100へ進む。
【００４１】
一方、ステップＳ1000で、ロック解除状態であると判定されなかった場合、ステップＳ1000を繰り返して、ロック解除状態になるまで待機する。
ステップＳ1100では、遊技者が押しボタンスイッチ８を操作したか否か、換言すると、押しボタンスイッチ８の操作が有ったか否かが判定される。
そして、ステップＳ1000で、押しボタンスイッチ８の操作が有ったと判定された場合、次のステップＳ1200へ進む。
一方、ステップＳ1100で、押しボタンスイッチ８の操作が有ったと判定されなかった場合、ステップＳ1100を繰り返して、押しボタンスイッチ８の操作が有るまで待機する。
【００４２】
ステップＳ1200では、モータ20を正回転方向へ駆動させる正転駆動処理と、回転部材制御装置10の内部に設けられている計時手段であるタイマＴ１に計時を開始させるタイマＴ１計時開始処理が行われる。この後、次のステップＳ1300へ進む。
ステップＳ1300では、フォトインターラプタ31〜34のいずれかが遮光片26を検出したか否か、換言すると、正回転方向へ回転を開始した回転部材５がホルダ使用位置、第１閉鎖位置、灰皿使用位置、及び、第２閉鎖位置のいずれかに到達したか否かが判定される。
そして、ステップＳ1300で、フォトインターラプタ31〜34のいずれかが遮光片26を検出したと判定されなかった場合、次のステップＳ1400へ進む。
【００４３】
一方、ステップＳ1300で、フォトインターラプタ31〜34のいずれかが遮光片26を検出したと判定された場合、ステップＳ1500へ進む。
ステップＳ1400では、ステップＳ1200において計時を開始したタイマＴ１の計時値がｍ秒以上になったか否かが判定される。換言すると、ステップＳ1400では、メダルＭが枠部22にメダルＭが係止された等によって、回転部材５の正回転方向への回転が不可能となったか否かかが判定される。
ステップＳ1400で、タイマＴ１の計時値がｍ秒以上になったと判定されなかった場合、ステップＳ1300へ戻る。一方、ステップＳ1400で、タイマＴ１の計時値がｍ秒以上になったと判定された場合、次のステップＳ2000へ進む。
【００４４】
ステップＳ1300で遮光片26を検出したと判定されたために、ステップＳ1500へ進んだ場合、ステップＳ1500では、モータ20を停止させるモータ停止処理が行われる。また、ステップＳ1500では、後述する計時手段であるタイマＴ２が計時を開始している場合には、タイマＴ２の計時を停止させ、且つ、計時値をリセットするタイマＴ２リセット処理も行われる。
以上のようなステップＳ1500においてモータ停止処理等が完了すると、押しボタンスイッチ８の１回の操作に対応した１回分の回転部材駆動処理が終了し、この後、当該回転部材駆動処理のスタートへ戻り、スロットマシン１の電源が切られるまで、回転部材駆動処理は、必要なだけ何度も繰り返される。
【００４５】
ステップＳ2000では、正回転方向への回転が不可能となった回転部材５を、押しボタンスイッチ８の操作前の位置に戻すために、モータ20を逆回転方向へ駆動させる逆転駆動処理と、タイマＴ１の計時を停止させるとともに計時値をリセットするタイマＴ１リセット処理と、回転部材制御装置10の内部に設けられている別の計時手段であるタイマＴ２に計時を開始させるタイマＴ２計時開始処理とが行われる。この後、次のステップＳ2100へ進む。
ステップＳ2100では、回転部材５が逆回転方向へ回転を開始した後、フォトインターラプタ31〜34のいずれかが遮光片26を検出したか否かが判定される。換言すると、ステップＳ2100では、逆回転方向へ回転を開始した回転部材５がホルダ使用位置、第１閉鎖位置、灰皿使用位置、及び、第２閉鎖位置のいずれかに到達したか否かが判定される。
【００４６】
そして、ステップＳ2100で、フォトインターラプタ31〜34のいずれかが遮光片26を検出したと判定されなかった場合、次のステップＳ2200へ進む。
一方、ステップＳ2100で、フォトインターラプタ31〜34のいずれかが遮光片26を検出したと判定された場合、ステップＳ2300へ進む。
ステップＳ2200では、ステップＳ2000において計時を開始したタイマＴ２の計時値がｎ秒以上になったか否かが判定される。換言すると、ステップＳ2200では、モータ20の故障等によって、回転部材５が逆回転方向へ回転不可能となったか否かかが判定される。
ステップＳ2200で、タイマＴ２の計時値がｎ秒以上になったと判定されなかった場合、ステップＳ2100へ戻る。一方、ステップＳ2200で、タイマＴ２の計時値がｎ秒以上になったと判定された場合、次のステップＳ2400へ進む。
【００４７】
ステップＳ2100で遮光片26を検出したと判定されたために、ステップＳ2300へ進んだ場合、ステップＳ2300では、モータ20を停止させるモータ停止処理と、タイマＴ２の計時を停止させるとともに、計時値をリセットするタイマＴ２リセット処理とが行われる。
以上のようなステップＳ2300においてモータ停止処理等が完了した場合においても、ステップＳ1500における処理が完了した場合と同様に、押しボタンスイッチ８の１回の操作に対応した１回分の回転部材駆動処理が終了し、この後、当該回転部材駆動処理のスタートへ戻り、スロットマシン１の電源が切られるまで、回転部材駆動処理は、必要なだけ何度も繰り返される。
【００４８】
ステップＳ2400では、モータ20の電源を遮断するためのモータ停止処理と、タイマＴ２の計時を停止させるとともに、計時値をリセットするタイマＴ２リセット処理と、回転部材５を回転させる機構のどこかに故障が生じている旨を報知するために、回転部材制御装置10の内部に設けられているブザーを鳴動させる故障報知処理とが行われる。なお、故障報知処理により、回転部材５を回転させる機構の故障は、遊技場の係員の知るところとなり、その後、当該係り異によって修復される。
以上のようなステップＳ2400においてモータ停止処理等が完了した場合においても、ステップＳ1500における処理が完了した場合と同様に、押しボタンスイッチ８の１回の操作に対応した１回分の回転部材駆動処理が終了し、この後、当該回転部材駆動処理のスタートへ戻り、スロットマシン１の電源が切られるまで、回転部材駆動処理は、必要なだけ何度も繰り返される。
【００４９】
前述のような本実施形態によれば、次のような効果が得られる。
すなわち、回転時に周方向へ周回する周回面5Aを有する回転部材５を回転可能に支持するために、回転部材５の周回面5Aの少なくとも一部を露出させながら当該回転部材５を回転可能に支持するカバー部21を設け、さらに、回転部材５の周回面5Aに、円盤状のメダルＭを立てた状態で保持するホルダ部６を設けるとともに、周回面5Aから離れた位置に配置されて、ホルダ部６に保持されたメダルＭに当接可能に形成された枠部22を設け、ホルダ部６がメダルＭを保持している状態で、回転部材５を回転させると、ホルダ部６からメダルＭが逸脱する前に、メダルＭが枠部22に当たって、それ以上回転させないように、回転部材５を係止させるようになる。
【００５０】
このため、ホルダ部６にメダルＭを保持させると、ホルダ部６が下方を向く角度位置まで回転部材５が回転することがなく、従って、回転可能に設けられた回転部材５にホルダ部６を形成しても、ホルダ部６に保持されていたメダルＭが下方に落下することを未然に防止することができる。
そして、回転部材５のホルダ部６からメダルＭが落下することがなくなるので、メダルＭが床に散乱することもなく、ホルダ部６からメダルＭが落下することに起因するメダルＭの紛失も未然に防止することができる。
また、回転部材５の周回面5Aにおけるホルダ部６とは回転角度位置が異なる位置に、煙草の吸い殻を収納するための灰皿７を形成し、回転部材５を回転させ、ホルダ部６及び灰皿７のうち、回転角度位置における頂上位置に配置されたものが使用されるようにしたので、遊技者は、必要に応じて回転部材５を回転させ、ホルダ部６及び灰皿７のうち所望のものを頂上位置に配置すれば、ホルダ部６及び灰皿７のうち、頂上位置に配置したものを利用することが可能となる。
【００５１】
これにより、手で把持しているメダルＭを何かに保持させたい場合、遊技者は、ホルダ部６を頂上位置に配置させれば、メダルＭをホルダ部６に保持させることができる。
一方、煙草の吸い殻を捨てたい場合、遊技者は、灰皿７を頂上位置に配置させれば、煙草の吸い殻を灰皿７の中に捨てることができる。
この際、例えば、一部分に禁煙フロアが設定された遊技場で禁煙フロアの設定階を変更する場合、変更対象のフロアに設置されているスロットマシン１について、灰皿付のものと灰皿無しのものとを入れ替える必要がなく、回転部材５を回転させて、ホルダ部６及び灰皿７の一方から他方へ切り換えるだけですみ、禁煙フロアの設定階を変更する作業が極めて容易に行うことができる。
【００５２】
さらに、回転部材５を内部に収納するとともに、回転部材５の周回面5Aの一部を露出させる上向きの開口21A を有するカバー部21を設け、且つ、このカバー部21の枠部22を、ホルダ部６に保持されたメダルＭの係止を行う係止部とし、さらに、回転部材５の周回面5Aにおけるホルダ部６及び灰皿７のいずれとも回転角度位置が異なる部位に、カバー部21の開口21A を塞ぐための蓋部5C, 5Dを設けたので、ホルダ部６及び灰皿７の両方を遊技者に使用させたくない場合、例えば、ホルダ部６及び灰皿７が悪戯によって破損している場合には、回転部材５を回転させて、蓋部5C, 5Dのどちらかで枠部22の開口21A を塞ぎ、ホルダ部６及び灰皿７を使用できないようにすることができる。
【００５３】
この際、蓋部5C, 5Dのどちらかで枠部22の開口21A を塞いだ後に、トグルスイッチ９を操作して、回転部材５をロックしておけば、開口21A  を塞ぐ位置に蓋部5C, 5Dが固定され、遊技者がホルダ６部及び灰皿７を使用することを確実に防止することができる。
また、ホルダ部６が保持しているメダルＭが枠部22に当たる位置まで回転部材５が回転すると、メダルＭの表面及び裏面のうち、その一方の面が枠部22に当接するように、周回面5Aが周回する周回方向と交差する方向に表面及び裏面を沿わせた状態のメダルＭを保持するようにホルダ部６を形成したので、メダルＭの周縁が枠部22に当接するようにした場合よりも、枠部22と当接したメダルＭがホルダ部６から抜け落ちる可能性を小さくすることができる。
【００５４】
このため、ホルダ部６の深さ方向の寸法をより小さくできるので、ホルダ部６の機能が損なわれない程度に深さ方向の寸法を小さくすることで、灰皿７を深くして、その容積を充分確保することができ、一つの回転部材５にホルダ部６及び灰皿７の両方を設けても、ホルダ部６及び灰皿７の両方について機能を充分確保することができる。
さらに、回転部材５を回転させるモータ20と、モータ20を起動させる操作を行うための押しボタンスイッチ８とを設けたので、手を触れずに回転部材を回転させることができ、塵芥収納部を灰皿としても、回転部材の回転時に遊技者の手が灰等で汚れることを未然に防止できる。
【００５５】
なお、本発明は、前記実施形態に限定されるものではなく、本発明の目的を達成できる範囲における変形及び改良などをも含むものである。
例えば、ホルダ部としては、メダルＭの厚さに応じた幅の溝6Aを複数有し、溝6Aの各々の内部に１枚のメダルＭを立てた状態で保持するホルダ部６に限らず、図１０に示すように、立てた状態にされた１枚のメダルＭの下端縁が遊嵌される凹部6Bと、当該メダルＭの高さ方向の中間部分を挟むための桟6CとでメダルＭを保持するホルダ部6Dでもよい。
また、ホルダ部としては、メダルＭの表面及び裏面の一方を係止部（例えば、枠部22）に当接させるホルダ部６に限らず、図１１に示すように、底部6Eに周回する方向に延びる溝部6Fを設け、図１２に示すように、メダルＭの表面が周回面5Aの周回方向に沿った状態で当該メダルＭを保持し、これにより、回転部材５が回転すると、図１３に示すように、メダルＭの周縁部分を係止部（例えば、枠部22）に当接させるように形成されたホルダ部6Gでもよい。
【００５６】
さらに、回転部材を支持する支持部としては、回転部材５を内部に収納する箱状に形成されたカバー部21に限らず、図１４及び図１５に示すように、スロットマシン１の前扉３の前面から突出するように設けられ、回転部材５に設けられている回転軸の端部を回転可能に支持するブラケット27でもよい。
なお、ブラケット27で支持された回転部材５は、ブラケット27とともに一つの箱体の内部に収納するようにしてもよい。換言すると、支持部及び箱体としては、前記実施形態のように、一体化して設けられたものに限らず、それぞれ別個に設けられたものでもよい。
また、回転部材を支持する支持部としては、前扉３の前面と平行な回転軸を中心に回転可能となるように回転部材５を支持するカバー部21やブラケット27に限らず、図１６に示すように、回転部材５の回転軸が前扉３の前面と垂直にされた状態で、当該回転部材５の回転軸29A の端部を回転可能に支持するとともに、前扉３の内部に埋め込まれた軸受部29を採用してもよい。
【００５７】
さらに、係止部としては、四角形の枠状に形成された枠部22に限らず、回転部材５が前扉３の前面と平行な回転軸を中心に回転可能となったものである場合には、図１４に示すように、前扉３の前面に突設されたアーム部28に片持ち支持される棒状のレバー部22A, 22Bを採用することができる。
この場合、図１５に示すように、前扉３の前面における回転部材５の近傍部分を凹ますことにより、回転部材５を前扉３の前面に近接させ、回転部材５が回転すると、メダルＭを前扉３の前面に当接させ、これにより、回転部材５を係止するようにしてもよく、このようにすれば、レバー部22A, 22Bのうち、前扉３に近いレバー部22A を省略することができる。
【００５８】
また、回転部材５が前扉３の前面と垂直な回転軸を中心に回転可能となったものである場合、係止部としては、図１６に示すように、前扉３の前面に突設された棒状のレバー部22C, 22Dを採用することもできる。
さらに、塵芥収納部としては、灰皿に限らず、塵芥を収納する単なる容器状に形成されたものでもよい。
また、ホルダ部に保持させるメダル体としては、遊技媒体としてのメダルに限らず、硬貨やトークンでもよく、要するに、遊技機に保持させるのに適当な大きさの円盤体であればよく、その用途や材質は限定されない。
【００５９】
さらに、遊技機としては、スロットマシンに限らず、遊技球を遊技媒体として利用するパチンコ機等の弾球遊技機や、硬貨を投入してゲームを行うビデオゲーム等のアーケードゲーム機でも良い。
【図面の簡単な説明】
【００６０】
【図１】本発明の一実施形態に係る遊技機であるスロットマシンを示す正面図である。
【図２】前記実施形態に係る回転部材を示す拡大断面図である。
【図３】前記実施形態に係る回転部材の駆動機構を示す拡大斜視図である。
【図４】前記実施形態に係るホルダ部を示す拡大斜視図である。
【図５】前記実施形態に係る回転部材を示す異なる状態の拡大断面図である。
【図６】前記実施形態に係る回転部材を示す反対側から見た拡大断面図である。
【図７】前記実施形態に係る回転部材を示すさらに異なる状態の拡大断面図である。
【図８】前記実施形態に係る回転部材の周辺装置類の電気的接続を示すブロック図である。
【図９】前記実施形態の回転部材の駆動処理を説明するためのフローチャートである。
【図１０】本発明のホルダ部に係る変形例を示す拡大断面図である。
【図１１】本発明のホルダ部に係る別の変形例を示す拡大断面図である。
【図１２】前記別の変形例を示す拡大斜視図である。
【図１３】前記別の変形例を示す図１１と異なる破断線における断面図である。
【図１４】本発明の支持部に係る変形例を示す拡大断面図である。
【図１５】本発明の係止部に係る変形例を示す拡大断面図である。
【図１６】本発明の支持部に係る別の変形例を示す拡大断面図である。
【符号の説明】
【００６１】
１    遊技機としてのスロットマシン
３  係止部としての前扉
６  ホルダ部
５  回転部材
5A  周回面
5C, 5D  蓋部
７  塵芥収納部としての灰皿
21  支持部としての箱体であるカバー部
21A 開口
22  係止部としての枠部（カバー部の一部分）
22A〜22D  係止部としてのレバー部
27  支持部としてのブラケット
29  支持部としての軸受部
Ｍ  メダル体としてのメダル
【図１】
2010104657.tif 000003
【図２】
2010104657.tif 000004
【図３】
2010104657.tif 000005
【図４】
2010104657.tif 000006
【図５】
2010104657.tif 000007
【図６】
2010104657.tif 000008
【図７】
2010104657.tif 000009
【図８】
2010104657.tif 000010
【図９】
2010104657.tif 000011
【図１０】
2010104657.tif 000012
【図１１】
2010104657.tif 000013
【図１２】
2010104657.tif 000014
【図１３】
2010104657.tif 000015
【図１４】
2010104657.tif 000016
【図１５】
2010104657.tif 000017
【図１６】
2010104657.tif 000018